(57)【特許請求の範囲】
【請求項１】
シャッタ開口を有する基板と、前記シャッタ開口への入射光量を調整する羽根と、前記羽根に動力を伝達する伝達部材とを備え、
前記伝達部材は、所定位置を支点として揺動し、前記支点の径方向の一方向に延在するアームと、前記アームに設けられた駆動ピンを含み、
前記羽根は、前記駆動ピンと係合する第１のカム溝を有すると共に前記駆動ピンの揺動に伴って所定位置を支点として揺動し、
前記第１のカム溝は、第１の許容領域及び第１の規制領域を含み、
前記駆動ピンが前記第１の許容領域内にある場合には、前記羽根の揺動が許容され、
前記駆動ピンが前記第１の規制領域内にある場合には、前記羽根の揺動が規制され、
前記駆動ピンが前記第１の規制領域内にある場合において、
前記駆動ピンが揺動した場合は、該駆動ピンは前記第１の規制領域を脱することができ、
前記羽根へ外力が作用した場合は、前記駆動ピンは前記第１の規制領域内に維持され、
前記第１のカム溝は、前記第１の許容領域及び第１の規制領域が略直角となるようにしてＬ字状に形成されている、
前記羽根は、前記駆動ピン及び羽根のそれぞれの支点間を前記第１のカム溝が通過するように揺動し、
前記第１の規制領域は、前記第１の許容領域よりも短い、ことを特徴とする羽根駆動装置。
【請求項２】
シャッタ開口を有する基板と、前記シャッタ開口への入射光量を調整する羽根と、前記羽根に動力を伝達する伝達部材とを備え、
前記伝達部材は、所定位置を支点として揺動し、前記支点の径方向の一方向に延在するアームと、前記アームに設けられた駆動ピンを含み、
前記羽根は、前記駆動ピンと係合する第１のカム溝を有すると共に前記駆動ピンの揺動に伴って所定位置を支点として揺動し、
前記第１のカム溝は、第１の許容領域及び第１の規制領域を含み、
前記駆動ピンが前記第１の許容領域内にある場合には、前記羽根の揺動が許容され、
前記駆動ピンが前記第１の規制領域内にある場合には、前記羽根の揺動が規制され、
前記駆動ピンが前記第１の規制領域内にある場合において、
前記駆動ピンが揺動した場合は、該駆動ピンは前記第１の規制領域を脱することができ、
前記羽根へ外力が作用した場合は、前記駆動ピンは前記第１の規制領域内に維持され、
前記第１のカム溝は、該カム溝の両端部に前記第１の規制領域を有し、前記第１の許容領域及び第１の規制領域が略直角となるようにしてＳ字状に形成され、
前記羽根は、前記駆動ピン及び羽根のそれぞれの支点間を前記第１のカム溝が通過するように揺動し、
前記第１のカム溝の両端部に形成された第１の規制領域のそれぞれの長さは、前記第１の許容領域よりも短い、ことを特徴とする羽根駆動装置。
【請求項３】
前記羽根と同一軸に揺動可能に支持され該羽根と協働して前記シャッタ開口への入射光量を調整する補助羽根を備え、
前記補助羽根は、前記駆動ピンと係合する第２のカム溝を有し、
前記第２のカム溝は、第２の許容領域及び第２の規制領域を含み、
前記駆動ピンが前記第２のカム溝の一端に揺動した場合に、前記第１のカム溝は、前記駆動ピンと前記第１の規制領域内で係合し、前記駆動ピンは前記第２のカム溝の前記第２の許容領域内に位置し、
前記駆動ピンが前記第２のカム溝の他端に揺動した場合に、前記第２のカム溝は、前記駆動ピンと前記第２の規制領域内で係合し、前記駆動ピンは前記第１のカム溝の前記第１の許容領域内に位置し、
前記第２の規制領域は、前記第２の許容領域よりも短い、ことを特徴とする請求項１又は２の何れかに記載の羽根駆動装置。
【請求項４】
前記羽根は、前記基板の異なる軸に揺動可能に支持された複数の羽根であり、
前記羽根の少なくとも１枚は、前記シャッタ開口より小径の小絞り開口を有し、
前記複数の羽根は、前記駆動ピンの揺動に伴って前記シャッタ開口を全開、全閉、小絞りのいずれかの状態に保持して入射光量を調整する、ことを特徴とする請求項１乃至３の何れかに記載の羽根駆動装置。
【発明の詳細な説明】
【技術分野】
【０００１】
本発明は、羽根駆動装置に関する。
【背景技術】
【０００２】
カメラに内蔵されている羽根駆動装置としては、例えば特許文献１に開示されているものが知られている。このような羽根駆動装置は、一般的には、開口を有する基板と、開口への入射光量を調整する羽根と、羽根に動力を伝達する伝達部材などから構成される。
【０００３】
【特許文献１】特開２００５‐３５２１５３号公報
【発明の開示】
【発明が解決しようとする課題】
【０００４】
このような羽根駆動装置に衝撃が加わって外力が作用した場合には、羽根が所望の位置からずれる恐れがある。羽根は、開口への入射光量を調整するためのものであるから、このような位置ずれは、所望の入射光量を得ることができずに撮像画像へ悪影響を与える恐れがある。
【０００５】
そこで、本発明は、衝撃が加わって外力が作用した場合であっても羽根の位置ずれを防止でき、撮像画像への悪影響を防止できる羽根駆動装置を提供することを目的とする。
【課題を解決するための手段】
【０００６】
上記目的は、シャッタ開口を有する基板と、前記シャッタ開口への入射光量を調整する羽根と、前記羽根に動力を伝達する伝達部材とを備え、前記伝達部材は、所定位置を支点として揺動する駆動ピンを含み、前記羽根は、前記駆動ピンと係合する第１のカム溝を有すると共に前記駆動ピンの揺動に伴って所定位置を支点として揺動し、前記第１のカム溝は、第１の許容領域及び第１の規制領域を含み、前記駆動ピンが前記第１の許容領域内にある場合には、前記羽根の揺動が許容され、前記駆動ピンが前記第１の規制領域内にある場合には、前記羽根の揺動が規制される、ことを特徴とする羽根駆動装置によって達成できる。
【０００７】
これにより、駆動ピンが第１の規制領域内にある際に羽根に外力が加わった場合には、基板に対する羽根の移動が抑制される。これにより、羽根のずれを防止でき、撮像画像への悪影響を防止できる。
【０００８】
上記構成において、前記駆動ピンが前記第１の規制領域内にある場合において、前記駆動ピンが揺動した場合は、該駆動ピンは前記第１の規制領域を脱することができ、前記駆動ピン以外の要因によって前記羽根へ外力が作用した場合は、前記駆動ピンは前記第１の規制領域内に維持される、構成を採用できる。これによっても駆動ピンが第１の規制領域内にある際に羽根に外力が加わった場合に、基板に対する羽根の移動が抑制され羽根のずれを防止でき、撮像画像への悪影響を防止できる。
【０００９】
上記構成において、前記第１のカム溝は、前記第１の許容領域及び第１の規制領域が略直角となるようにしてＬ字状に形成されている、構成を採用できる。
【００１０】
上記構成において、前記羽根は、前記駆動ピン及び羽根のそれぞれの支点間を前記第１のカム溝が通過するように揺動する、構成を採用できる。
【００１１】
上記構成において、前記第１のカム溝は、該第カム溝の両端部に前記第１の規制領域を有し、前記第１の許容領域及び第１の規制領域が略直角となるようにしてＳ字状に形成されている、構成を採用できる。
【００１２】
これにより、駆動ピンが第１のカム溝の両端部の規制領域内にある２箇所の位置において、羽根に外力が加わった場合に、基板に対する羽根の移動が抑制される。よって羽根駆動装置の羽根の位置に対応した、２つの状態において、羽根のずれを防止でき、撮像画像への悪影響を防止できる。
【００１３】
上記構成において、前記羽根と同一軸に揺動可能に支持され、該羽根と協働して前記シャッタ開口への入射光量を調整する補助羽根を備え、前記補助羽根は、前記駆動ピンと係合する第２のカム溝を有し、前記第２のカム溝は、第２の許容領域及び第２の規制領域を含み、前記駆動ピンが前記第２のカム溝の一端に揺動した場合に、前記第１のカム溝は、前記駆動ピンと前記第１の規制領域内で係合し、前記駆動ピンが前記第２のカム溝の他端に揺動した場合に、前記第２のカム溝は、前記駆動ピンと前記第２の規制領域内で係合する、構成を採用できる。
【００１４】
これにより、駆動ピンが揺動する端部において、羽根と補助羽根の各カム溝の規制領域内で駆動ピンが係合するため、スペースの関係等により１枚の羽根のカム溝の両端部に規制領域内に設けられない場合でも、羽根に外力が加わった場合に確実に基板に対する羽根のずれを防止でき、撮像画像への悪影響を防止できる。
【００１５】
上記構成において、前記羽根は、前記基板の異なる軸に揺動可能に支持された複数の羽根であり、前記羽根の少なくとも１枚は、前記シャッタ開口より小径の小絞り開口を有し、前記複数の羽根は、前記駆動ピンの揺動に伴って前記シャッタ開口を全開、全閉、小絞りのいずれかの状態に保持して入射光量を調整する、構成を採用できる。
【００１６】
これにより、シャッタ開口を全開、全閉、小絞りのいずれかの状態に保持可能な複数の羽根を有する羽根駆動装置において、駆動ピンが羽根のカム溝の規制領域内にある際に、羽根に外力が加わった場合には、基板に対する羽根の移動が抑制される。これにより、複数の羽根を有する場合でも羽根のずれを確実に防止でき、撮像画像への悪影響を防止できる。
【００１７】
上記構成において、前記小絞り開口を有する羽根と同一軸に揺動可能に支持される少なくとも１枚の補助羽根を備え、前記補助羽根は、前記駆動ピンと係合する第２のカム溝を有し、前記第２のカム溝は、第２の許容領域及び第２の規制領域を含み、前記小絞り開口が前記シャッタ開口内に進入して小絞り状態を形成しているときに、前記第２のカム溝は、前記駆動ピンと前記第２の規制領域内で係合する、構成を採用できる。
【００１８】
これにより、シャッタ開口を全開、全閉、小絞りのいずれかの状態に保持可能な複数の羽根を有する羽根駆動装置の小絞り状態において、駆動ピンが補助羽根のカム溝の規制領域内にある際に補助羽根に外力が加わった場合には、基板に対する補助羽根の移動が抑制される。これにより、小絞り羽根のカム溝に規制領域を設けられない場合でも小絞り羽根のずれを確実に防止でき、撮像画像への悪影響を防止できる。
【００１９】
上記構成において、前記羽根は該羽根と異なる軸に揺動可能に支持され、該羽根と協働して前記シャッタ開口を同一方向から覆い、該シャッタ開口への入射光量を調整する補助羽根を含み、前記補助羽根は、前記駆動ピンと係合する第２のカム溝を有し、前記第２のカム溝は、第２の許容領域及び第２の規制領域を含み、前記第２のカム溝は、前記駆動ピンが前記第１のカム溝の前記第１の規制領域内にある場合に、前記駆動ピンと前記第２の規制領域内で係合する、構成を採用できる。
【００２０】
これにより、複数の羽根でシャッタ開口を覆う羽根駆動装置であっても駆動ピンが規制領域内にある際に羽根に外力が加わった場合には、基板に対する複数の羽根の移動が各カム溝の規制領域により抑制される。これにより、羽根のずれを確実に防止でき、撮像画像への悪影響を防止できる。
【発明の効果】
【００２１】
本発明によれば、衝撃が加わって外力が作用した場合であっても羽根の位置ずれを防止でき、撮像画像への悪影響を防止できる羽根駆動装置を提供できる。
【発明を実施するための最良の形態】
【００２２】
以下、本発明に係る羽根駆動装置について図面を参照して説明する。
【実施例１】
【００２３】
図１及び図２は、実施例１に係る羽根駆動装置１の正面図であり、図３は、実施例１に係る羽根駆動装置１の断面図である。図１は、羽根２０がシャッタ開口１１から退避した位置での実施例１に係る羽根駆動装置１を示しており、図２は、羽根２０がシャッタ開口１１に臨む位置での実施例１に係る羽根駆動装置１を示している。図１乃至図３に示すように、羽根駆動装置１は、基板１０、羽根２０、モータ３０、伝達部材４０、羽根押え板５０等から構成される。基板１０は、平板状に形成され、その中央部にシャッタ開口１１が形成されている。また、羽根押え板５０にも、図示はしないがシャッタ開口が形成されている。
【００２４】
羽根２０には、シャッタ開口１１とほぼ同径の開口２１が形成されている。また、羽根２０には、開口２１を覆うように基板１０側からＮＤフィルタ２２が取り付けられている。羽根２０は、図３に示すように、基板１０と、羽根押え板５０との間に配置されている。また、羽根２０は、孔２３を支点として揺動可能に支持されている。孔２３は、基板１０に形成された固定軸５３と係合する。また、羽根２０には、長孔２５が形成されており、基板１０に形成された規制ピン５５と係合する。また、羽根２０には、第１のカム溝であるカム溝２４が形成されており、図３に示すように、伝達部材４０の駆動ピン４２と係合している。カム溝２４は、詳しくは後述するが略Ｌ字状に形成されている。基板１０には、ＮＤフィルタ２２との干渉を防ぐための凹部５２が所定位置に形成されている。
【００２５】
モータ３０は、羽根２０を揺動させるための動力源である。モータ３０には、回転軸３１が設けられ、回転軸３１には、伝達部材４０が固定されている。伝達部材４０は、モータ３０からの動力を羽根２０へと伝達する機能を有する。伝達部材４０は、回転軸３１の径方向外側に延在したアーム４１と、アーム４１から回転軸３１の軸方向と平行に延在した駆動ピン４２とを含む。伝達部材４０は、樹脂により形成されている。モータ３０は、所定範囲を回転可能に構成されている。モータ３０の回転により、駆動ピン４２は、回転軸３１を中心として、所定の範囲を揺動する。尚、基板１０、羽根押え板５０には、図３に示すように、それぞれ駆動ピン４２の揺動を逃がすための逃げ孔１４、５４が形成されている。逃げ孔１４、５４は、共に円弧状に形成されている。
【００２６】
また、図１乃至図３に示すように、駆動ピン４２は、羽根２０に形成されたカム溝２４と係合する。駆動ピン４２の揺動に伴って、羽根２０は、孔２３を支点として所定の範囲を揺動する。図１及び図２に示すように、羽根２０は、シャッタ開口１１から退避した位置（以下、退避位置と称する）及びシャッタ開口１１に臨む位置（以下、臨む位置と称する）間を揺動可能に構成されている。尚、図１に示すように、羽根２０が退避位置に位置付けられている場合には、規制ピン５５は長孔２５の一方の端部と当接しする。これにより、羽根２０は、図１に示した状態から時計方向への揺動が規制される。また、図２に示すように、羽根２０が臨む位置に位置付けられている場合には、規制ピン５５は長孔２５の他方の端部と当接する。これにより、羽根２０は、図２に示した状態から反時計方向への揺動が規制される。
【００２７】
また、図１に示すように、羽根２０が退避位置に位置付けられている場合には、駆動ピン４２は、カム溝２４の一方の端部と当接し、図２に示すように、羽根２０が臨む位置に位置付けられている場合には、駆動ピン４２は、カム溝２４の他方の端部と当接する。羽根２０が臨む位置に位置付けられている場合には、シャッタ開口１１への入射光量がＮＤフィルタ２２によって低減される。このように羽根２０は、退避位置及び臨む位置間を揺動することにより、シャッタ開口１１への入射光量が調整される。
【００２８】
次に、本実施例に係る羽根駆動装置１の特徴部分について説明する。図４は、カム溝２４周辺の位置関係の説明図である。図４（Ａ）は、羽根２０が退避位置に位置付けられている場合での、カム溝２４周辺の位置関係を示した図であり、図４（Ｂ）は、羽根２０が退避位置から臨む位置へと移行する途中での、カム溝２４周辺の位置関係を示しており、図４（Ｃ）は、羽根２０が臨む位置へ位置付けられている場合での、カム溝２４周辺の位置関係を示した図である。
【００２９】
まず、カム溝２４の形状について詳細に説明する。カム溝２４は、第１の許容領域である許容領域Ｒ１と第１の規制領域である規制領域Ｒ２とを含む。許容領域Ｒ１は、駆動ピン４２がこの許容領域Ｒ１内にある場合には、羽根２０の揺動が許容される領域である。規制領域Ｒ２は、駆動ピン４２がこの規制領域Ｒ２内にある場合には、羽根２０の揺動が規制される領域である。カム溝２４は、許容領域Ｒ１と規制領域Ｒ２とが略直角となるように、Ｌ字状に形成されている。また、規制領域Ｒ２よりも許容領域Ｒ１の方が長くなるように形成されている。
【００３０】
図４（Ａ）に示すように、羽根２０が退避位置に位置付けられた際に、駆動ピン４２はカム溝２４の一端部２４ａと当接する。この状態から、駆動ピン４２が支点４２Ｐ（回転軸３１）を中心として時計方向に揺動すると、駆動ピン４２は一端部２４ａから離れるようにしてカム溝２４内を移動し、カム溝２４は、支点２４Ｐ（固定軸５３）を中心として、反時計方向に揺動して、図４（Ｂ）に示した状態へと移行する。図４（Ｂ）においては、駆動ピン４２は、許容領域Ｒ１の中腹に位置している。
【００３１】
図４（Ｂ）に示した状態から更に駆動ピン４２が時計方向に揺動すると、カム溝２４も駆動ピン４２の揺動に伴って更に反時計方向に揺動し、駆動ピン４２は、許容領域Ｒ１を脱して、規制領域Ｒ２内へ移動して、図４（Ｃ）に示した状態へと移行する。前述したように、図４（Ｃ）に示した状態においては、規制ピン５５が長孔２５の他端部に当接することにより、羽根２０の反時計方向の揺動が規制される。また、この状態においては、駆動ピン４２は、他端部２４ｂと当接する。また、羽根２０は、カム溝２４が駆動ピン４２の支点４２Ｐと固定軸５３すなわち羽根２０の支点２４Ｐとの間を通過するように揺動する。
【００３２】
次に、図４（Ｃ）に示した状態から、駆動ピン４２以外の要因によって羽根２０へ時計方向へと揺動するよう外力が作用した場合について説明する。このような場合には、カム溝２４は、支点２４Ｐを中心として揺動しようとするので、規制領域Ｒ２における縁部２４ｃは、駆動ピン４２に対して押圧力Ｆを作用させる。押圧力Ｆは、駆動ピン４２に対して、縁部２４ｃと略直行する方向に作用する。ここで、駆動ピン４２は、支点４２Ｐを中心として揺動するため、駆動ピン４２と支点４２Ｐとの間の距離が常に一定となる範囲でしか動くことはできない。即ち、駆動ピン４２は、図４（Ｃ）に示した揺動方向Ｄの方向にしか動くことはできない。図４（Ｃ）に示すように、押圧力Ｆの方向と揺動方向Ｄとは、略直行する。このように、押圧力Ｆの方向、すなわち縁部２４ｃが駆動ピン４２に作用する方向と揺動方向Ｄとが略直行するので、駆動ピン４２に対して押圧力Ｆが作用した場合であっても、駆動ピン４２は、規制領域Ｒ２を脱することができずに、規制領域Ｒ２内に維持される。従って、駆動ピン４２が揺動方向Ｄへ揺動することが抑制される。よって、図４（Ｃ）に示した状態において、羽根２０に対して時計方向へ揺動するような外力が作用した場合であっても、その羽根２０の揺動は規制されることになる。
【００３３】
これにより、例えば、羽根２０が臨む位置に位置付けられている場合に、羽根駆動装置１に衝撃などが加わって外力が作用した場合であっても、羽根２０の位置が所望の位置からずれることが抑制される。従って、このような簡単な構成によって羽根２０の位置ずれに伴う撮像画像への悪影響を抑制することができる。
【００３４】
次に、駆動ピン４２がモータ３０から動力を受けて図４（Ｃ）に示した状態から反時計方向に揺動する場合について説明する。図４（Ｃ）に示した状態から、モータ３０からの動力を受けて駆動ピン４２が反時計方向に揺動すると、まず、駆動ピン４２は、縁部２４ｃに沿うようにして揺動して他端部２４ｂから離れる。そして駆動ピン４２は、規制領域Ｒ２を脱して許容領域Ｒ１内に移動する。次に、駆動ピン４２は、許容領域Ｒ１内を移動して再び一端部２４ａに当接する。このように規制領域Ｒ２は、駆動ピン４２の揺動を逃がすように形成されている。即ち、図４（Ｃ）に示した状態において、駆動ピン４２が揺動した場合は、駆動ピン４２は規制領域Ｒ２から許容領域Ｒ１に移動することができるが、羽根２０へ外力が作用した場合には、駆動ピン４２は規制領域Ｒ２内に維持される。換言すれば、規制領域Ｒ２は、駆動ピン４２自身の揺動は許容するが、駆動ピン４２以外の要因によって羽根２０に外力が加わった場合には羽根２０の揺動を規制するように構成されている。このような構成によって、衝撃等による羽根２０の位置ずれを抑制できると共に、羽根２０の退避位置及び臨む位置間の揺動を確保することができる。
【実施例２】
【００３５】
次に、実施例２に係る羽根駆動装置１ａについて説明する。図５及び図６は、実施例２に係る羽根駆動装置１ａの正面図であり、図５は、羽根２０ａがシャッタ開口１１から退避した位置での実施例２に係る羽根駆動装置１ａを、図６は、羽根２０ａがシャッタ開口１１に臨む位置での実施例２に係る羽根駆動装置１ａを示している。尚、これ以降の実施例に関して、実施例１に係る羽根駆動装置１と同一又は類似の構成については、同一又は類似の符号を付することにより、重複する説明を省略する。
【００３６】
図５及び図６に示すように、羽根駆動装置１ａは、基板１０ａ、羽根２０ａ、不図示のモータ、伝達部材及び羽根押え板等から構成される。羽根２０ａには、基板１０ａの中央部に形成されたシャッタ開口１１より小径の小絞り開口２１ａが形成されており、図６に示すように、羽根２０ａが臨む位置に位置付けられている場合には、シャッタ開口１１への入射光量が小絞り開口２１ａによって低減される。また、羽根２０ａは、孔２３を支点として揺動可能に支持され、孔２３は、基板１０ａに形成された固定軸５３と係合する。
【００３７】
羽根２０ａには、第１のカム溝であるカム溝２５が形成されており、図５及び図６に示すように、モータからの動力を羽根に伝達する伝達部材の駆動ピン４２と係合している。駆動ピン４２の揺動に伴って、羽根２０ａは孔２３を支点として、シャッタ開口１１から退避した退避位置、及びシャッタ開口１１に臨む位置間を揺動する。また、図５に示すように、基板１０ａには羽根２０ａが退避位置に位置付けられている場合に、羽根２０ａの端部と当接する規制ピン５５ａが設けられており、これにより、羽根２０ａは図５に示した状態から時計方向への揺動が規制される。また、図６に示すように、羽根２０ａが臨む位置に位置付けられている場合には、規制ピン５５ｂは羽根２０ａの開口２１ａを挟んだ他方の端部と当接する。これにより、羽根２０ａは、図２に示した状態から反時計方向への揺動が規制される。
【００３８】
実施例２に係る羽根駆動装置１ａの特徴部分について説明する。図７は、カム溝２５周辺の位置関係の説明図である。図７（Ａ）は、羽根２０ａが退避位置に位置付けられている場合での、カム溝２５周辺の位置関係を示した図であり、図７（Ｂ）は、羽根２０ａが退避位置から臨む位置へと移行する途中での、カム溝２５周辺の位置関係を示しており、図７（Ｃ）は、羽根２０ａが臨む位置へ位置付けられている場合での、カム溝２５周辺の位置関係を示した図である。
【００３９】
ここで、実施例１とは異なり、実施例２に係る羽根駆動装置１ａのカム溝２５は、第１の許容領域である許容領域Ｒ１と、カム溝２５の両端部に第１の規制領域である規制領域Ｒ２とを構成している。許容領域Ｒ１は、駆動ピン４２がこの許容領域Ｒ１内にある場合には、羽根２０ａの揺動が許容される領域であり、規制領域Ｒ２は、駆動ピン４２がこの規制領域Ｒ２内にある場合には、羽根２０ａの揺動が規制される領域である。実施例２において、カム溝２５は、カム溝２５の両端部に規制領域Ｒ２を有し、許容領域Ｒ１と規制領域Ｒ２とが略直角となるように、Ｓ字状に形成されている。また、規制領域Ｒ２よりも許容領域Ｒ１の方が長くなるように形成されている。
【００４０】
図７（Ａ）に示した状態から、駆動ピン４２以外の要因によって羽根２０ａへ反時計方向へと揺動するよう外力が作用した場合についても実施例１と同様に、規制領域Ｒ２における縁部２５ａは、駆動ピン４２に対して押圧力Ｆを作用させる。この押圧力Ｆ１は、駆動ピン４２に対して、縁部２５ａと略直行する方向に作用する。ここで、駆動ピン４２は、支点４２Ｐを中心として揺動するため、駆動ピン４２と支点４２Ｐとの間の距離が常に一定となる範囲でしか動くことはできない。即ち、駆動ピン４２は、図７（Ａ）に示した揺動方向Ｄの方向にしか動くことはできない。このように、押圧力Ｆ１の方向、すなわち羽根２０ａが移動しようとする方向と揺動方向Ｄとが略直行するので、駆動ピン４２に対して押圧力Ｆが作用した場合であっても、駆動ピン４２は、規制領域Ｒ２を脱することができずに、規制領域Ｒ２内に維持される。従って、駆動ピン４２が揺動方向Ｄへ揺動することが抑制される。よって、図７（Ａ）に示した状態において、羽根２０ａに対して反時計方向へ揺動するような外力が作用した場合であっても、その羽根２０の揺動は規制されることになる。また同様に、図７（Ｃ）に示した状態において、羽根２０ａに対して時計方向へ揺動するような外力が作用した場合であっても、押圧力Ｆ２の方向と駆動ピン４２の揺動方向Ｄとは、略直行するので羽根２０ａの揺動は規制されることになる。
【００４１】
これにより、駆動ピン４２がカム溝２５の両端部の規制領域Ｒ２内にある２箇所の位置において、すなわち、羽根２０ａが退避位置又は臨む位置に位置付けられている場合に、羽根駆動装置１ａに衝撃などが加わって外力が作用した場合であっても、羽根２０ａの位置が所望の位置からずれることが抑制される。従って、このような簡単な構成によって羽根２０ａの位置ずれに伴う撮像画像への悪影響を抑制することができる。
【実施例３】
【００４２】
次に、実施例３に係る羽根駆動装置１ｂについて説明する。図８及び図９は、実施例３に係る羽根駆動装置１ｂの正面図であり、図８（Ａ）は、羽根２０ｂ及び補助羽根２０ｃがシャッタ開口１１から退避した位置での実施例３に係る羽根駆動装置１ｂを、図８（Ｂ）は、その部分拡大図を示している。図９（Ａ）は、羽根２０ｂがシャッタ開口１１に臨む位置での実施例３に係る羽根駆動装置１ｂを、図９（Ｂ）は、その部分拡大図を示している。
【００４３】
図８及び図９に示すように、羽根駆動装置１ｂは、基板１０ｂ、羽根２０ｂ、補助羽根２０ｃ、不図示のモータ、伝達部材及び羽根押え板等から構成される。また、羽根２０ｂには、基板１０ｂの中央部に形成されたシャッタ開口１１とほぼ同径の開口２１ｂが形成されている。また、羽根２０ｂには、開口２１ｂを覆うように基板１０ｂ側からＮＤフィルタ２２ｂが取り付けられている。図９に示すように、羽根２０ｂが臨む位置に位置付けられている場合には、シャッタ開口１１への入射光量が小絞り開口２１ａによって低減される。また、羽根２０ａ及び補助羽根２０ｃは基板１０ａに形成された同一の固定軸５３と係合し、揺動可能に支持されている。このように、羽根２０ｂと補助羽根２０ｃは協動してシャッタ開口１１への入射光を調整する。
【００４４】
羽根２０ｂ、補助羽根２０ｃにはそれぞれ第１のカム溝であるカム溝２６、第２のカム溝であるカム溝２７が形成されており、図８（Ｂ）及び図９（Ｂ）に示すように、モータからの動力を羽根に伝達する伝達部材の駆動ピン４２と係合している。駆動ピン４２の一端から他端への揺動に伴って、羽根２０ｂ及び補助羽根２０ｃは同一の固定軸５３を回転中心として、シャッタ開口１１から退避した退避位置と、羽根２０ｂがシャッタ開口１１に臨む位置間を揺動する。また、補助羽根２０ｃ及び羽根２０ｂは、図８（Ａ）に示した状態から時計方向への揺動が規制ピン５５ａにより、また図９（Ａ）に示した状態から反時計方向への揺動が規制ピン５５ｂにより規制される。
【００４５】
ここで、実施例３に係る羽根駆動装置１ａの羽根２０ｂのカム溝２６は、第１の許容領域である許容領域Ｒ１と、第１の規制領域である規制領域Ｒ２とを構成しており、補助羽根２０ｃのカム溝２７は、第２の許容領域である許容領域Ｒ３と、第２の規制領域である規制領域Ｒ４とを構成している。許容領域Ｒ１およびR３は、駆動ピン４２がこの許容領域Ｒ１およびR３内にある場合には、羽根２０ａおよび補助羽根２０ｃの揺動が許容される領域であり、規制領域Ｒ２、Ｒ４は、駆動ピン４２がこの規制領域Ｒ２内にある場合には、羽根２０ａおよび補助羽根２０ｃの揺動が規制される領域である。
【００４６】
ここで、図８（Ａ）に示した状態から、駆動ピン４２以外の要因によって羽根２０ｂへ反時計方向へと揺動するよう外力が作用した場合、図８（Ｂ）に示すように、規制領域Ｒ４における縁部２６ａが駆動ピン４２に対して作用する押圧力Ｆと駆動ピン４２の揺動方向Ｄとが略直行するので駆動ピン４２は規制領域Ｒ４を脱することができずに規制領域Ｒ４内に維持される。従って、羽根２０ｂおよび補助羽根２０ｃに対して反時計方向へ揺動するような外力が作用した場合であっても、それらの揺動は規制されることになる。
【００４７】
また同様に、図９（Ａ）に示した状態から、駆動ピン４２以外の要因によって補助羽根２０ｃへ時計方向へと揺動するよう外力が作用した場合、図９（Ｂ）に示すように、規制領域Ｒ２における縁部２７ａが駆動ピン４２に対して作用する押圧力Ｆと駆動ピン４２の揺動方向Ｄとが略直行するので駆動ピン４２は規制領域Ｒ２を脱することができずに規制領域Ｒ２内に維持される。従って、羽根２０ｂおよび補助羽根２０ｃに対して時計方向へ揺動するような外力が作用した場合であっても、それらの揺動は規制されることになる。
【００４８】
羽根駆動装置１ｂは退避位置において、羽根２０ｂのカム溝２６の規制領域Ｒ２と駆動ピン４２と係合し、臨む位置において、補助羽根２０ｃのカム溝２７の規制領域Ｒ２と駆動ピン４２と係合する。換言すると、駆動ピン４２が補助羽根２０ｃの第２のカム溝２７の一端に揺動した場合に、羽根２０ｂの第１のカム溝２６は駆動ピン４２と第１の規制領域Ｒ２内で係合し、駆動ピン４２が補助羽根２０ｃの第２のカム溝２７の他端に揺動した場合に補助羽根２０ｃの第２のカム溝２７は、駆動ピン４２と第２の規制領域Ｒ２内で係合する。このように、羽根２０ｂの退避位置と臨む位置において、それぞれ別のカム溝、すなわち羽根２０ｂのカム溝２６と補助羽根２０ｃのカム溝２７にそれぞれ規制領域Ｒ２、Ｒ４を構成することにより、羽根駆動装置１ｂを構成するスペースによる羽根２０ｂの形状の規制、また固定軸５３の位置関係等の規制により、羽根２０ｂのカム溝２６の両端部に規制領域Ｒ２とその中間部に許容領域Ｒ１とを構成できない場合であっても羽根２０ｂを退避位置と臨む位置において位置ずれを確実に防止することができる。すなわち、退避位置又は臨む位置に位置付けられている場合に、羽根駆動装置１ａに衝撃などが加わって外力が作用した場合であっても、羽根２０ｂ及び補助羽根２０ｃの位置が所望の位置からずれることが確実に抑制される。従って、このような構成によって羽根２０ｂの位置ずれに伴う撮像画像への悪影響を抑制することができる。
【実施例４】
【００４９】
次に、実施例４に係る羽根駆動装置１ｃについて説明する。実施例４に係る羽根駆動装置１ｃはシャッタ開口１１を、全開位置、全閉位置、小絞り位置のいずれかの状態に保持可能に構成されており、図１０は、羽根駆動装置１ｃの羽根が全開位置にある場合、図１１は羽根が全閉位置にある場合、図１２は羽根が小絞り位置にある場合での正面図である。また図１３（Ａ）は、全開位置にて羽根の揺動が規制された状態での正面図、図１３（Ｂ）は、そのときのカム溝部周辺の拡大図を示している。図１４は、小絞り位置にて羽根の揺動が規制された状態でのカム溝部周辺の拡大図を示している。
【００５０】
羽根駆動装置１ｃは、シャッタ開口１１を有する基板１０ｃ、羽根２０ｃ１、２０ｃ２およびシャッタ開口１１より小径の小絞り開口２１ｃを有する小絞り羽根２０ｃ３等の複数の羽根により構成される。各羽根２０ｃ１、２０ｃ２および小絞り羽根２０ｃ３は基板１０ｃに形成された異なる固定軸５３ａ、５３ｂ、５３ｃにそれぞれ係合し揺動可能に支持されている。羽根２０ｃ１、２０ｃ２および小絞り羽根２０ｃ３にはカム溝２８ａ、２８ｂ、２８ｃがそれぞれ形成されておりモータからの動力を羽根に伝達する伝達部材の駆動ピン４２と係合している。駆動ピン４２の一端から他端への揺動に伴って、羽根２０ｃ１、２０ｃ２および小絞り羽根２０ｃ３はそれぞれ固定軸５３ａ、５３ｂ、５３ｃを中心に回転し、シャッタ開口１１を全開位置、全閉位置、小絞り位置を順次形成するように揺動する。このように羽根駆動装置１ｃはこれらの複数の羽根が駆動ピン４２の揺動に伴ってシャッタ開口１１を全開、全閉、小絞りのいずれかの状態に保持して入射光量を調整可能な構成となっている。また、図１０に示すように、基板１０ｃには羽根２０ｃ１、２０ｃ２および小絞り羽根２０ｃ３がシャッタ開口１１を全開位置、小絞り位置に位置付けられている場合に、各羽根の端部と当接する規制ピン５５ａ、５５ｂが設けられており、これにより、全閉位置を中心に全開位置側及び小絞り位置側の各羽根の揺動が規制されている。
【００５１】
ここで、実施例４に係る羽根駆動装置１ｃの第１のカム溝である、羽根２０ｃ１のカム溝２８ａおよび小絞り羽根２０ｃ３のカム溝２８ｃは、第１の許容領域である許容領域Ｒ１と、第１の規制領域である規制領域Ｒ２とを構成している。許容領域Ｒ１およびR３は、駆動ピン４２がこの許容領域Ｒ１内にある場合には、羽根２０ｃ１および小絞り羽根２０ｃ３の揺動が許容される領域であり、規制領域Ｒ２は、駆動ピン４２がこの規制領域Ｒ２内にある場合には、羽根２０ｃ１および小絞り羽根２０ｃ３の揺動が規制される領域である。
【００５２】
実施例４に係る羽根駆動装置１ｃの特徴部分について説明する。図１３（Ａ）は、羽根駆動装置１ｃが図１０に示す全開位置にある場合において、駆動ピン４２以外の要因によって羽根２０ｃ１へ反時計方向へと揺動するよう外力が作用し羽根２０ｃ１の揺動が規制された状態を示す正面図であり、図１３（Ｂ）は、そのときのカム溝部周辺の拡大図である。
【００５３】
ここで、駆動ピン４２以外の要因によって羽根２０ｃ１へ反時計方向へと揺動するよう外力が作用した場合、図１３（Ａ）、（Ｂ）に示すように、駆動ピン４２が羽根２０ｃ１のカム溝２８ａの縁部２８ａ１に係合する位置まで、羽根２０ｃ１は反時計方向に回転する。この位置において、カム溝２８ａの規制領域Ｒ２における縁部２８ａ１が駆動ピン４２に対して作用する押圧力Ｆと駆動ピン４２の揺動方向Ｄとが略直行するので駆動ピン４２は規制領域Ｒ２を脱することができずに規制領域Ｒ２内に維持される。従って、羽根２０ｃ１に対して反時計方向へ揺動するような外力が作用した場合であっても、その揺動は規制され、これにより他の羽根２０ｃ２及び小絞り羽根２０ｃ３の揺動も規制されることになる。
【００５４】
図１４は、羽根駆動装置１ｃが図１２に示す小絞り位置にある場合において、駆動ピン４２以外の要因によって小絞り羽根２０ｃ３へ反時計方向へと揺動するよう外力が作用し羽根２０ｃの揺動が規制された状態のカム溝２８ｃ周辺の拡大図である。ここで同様に、駆動ピン４２以外の要因によって小絞り羽根２０ｃ３へ反時計方向へと揺動するよう外力が作用した場合、駆動ピン４２が小絞り羽根２０ｃ３のカム溝２８ｃの縁部２８ｃ１に係合する位置まで、小絞り羽根２０ｃ３は反時計方向に回転する。この位置において、カム溝２８ｃの規制領域Ｒ２における縁部２８ｃ１が駆動ピン４２に対して作用する押圧力Ｆと駆動ピン４２の揺動方向Ｄとが略直行するので駆動ピン４２は規制領域Ｒ２を脱することができずに規制領域Ｒ２内に維持される。従って、小絞り羽根２０ｃ３に対して反時計方向へ揺動するような外力が作用した場合であっても、その揺動は規制され、これにより他の羽根２０ｃ１，２０ｃ２の揺動も規制されることになる。
【００５５】
このように、シャッタ開口１１を、全開位置、全閉位置、小絞り位置のいずれかの状態に保持可能な複数の羽根を有する羽根駆動装置において、例えば全開位置にて駆動ピン４２が羽根２０ｃ１のカム溝２８ａの規制領域内Ｒ２にある際に、羽根２０ｃ１に外力が加わった場合には、基板に対する羽根２０ｃ１の移動が抑制され、また羽根２０ｃ２および小絞り羽根２０ｃ３の揺動も規制される。よって複数の羽根を有する場合でもこれら複数の羽根のずれを確実に防止でき、撮像画像への悪影響を防止できる。
【実施例５】
【００５６】
次に、実施例５に係る羽根駆動装置１ｄについて説明する。実施例４に係る羽根駆動装置１ｃと同様に、実施例５に係る羽根駆動装置１ｄはシャッタ開口１１を、全開位置、全閉位置、小絞り位置のいずれかの状態に保持可能に構成されており、図１５は、羽根駆動装置１ｄの羽根が全開位置にある場合、図１６は羽根が全閉位置にある場合、図１７は羽根が小絞り位置にある場合での正面図である。図１８（Ａ）は、羽根駆動装置１ｄの羽根が全開位置にある場合において、羽根の揺動が規制された状態でのカム溝部周辺の拡大図であり、図１９は羽根が小絞り位置にある場合において、羽根の揺動が規制された状態でのカム溝部周辺の拡大図である。尚、図１８（Ｂ）は、図１８（Ａ）のカム溝２９ｂのみを示した図である。また、図１８（Ａ）においては、羽根２０ｄ１を実線で示している。
【００５７】
羽根駆動装置１ｄは、シャッタ開口１１を有する基板１０ｄ、羽根２０ｄ１、２０ｄ２、２０ｄ３および小絞り開口２１ｄを有する小絞り羽根２０ｄ４等により構成される。羽根２０ｄ１、２０ｄ２は基板１０ｄに形成された固定軸５３ａ、５３ｂにそれぞれ係合し、羽根２０ｄ３および小絞り羽根２０ｄ４は固定軸５３ｃに揺動可能に支持されている。羽根２０ｄ１、２０ｄ２、２０ｄ３および小絞り羽根２０ｄ４にはカム溝２９ａ、２９ｂ、２９ｃ、２９ｄがそれぞれ形成されておりモータからの動力を羽根に伝達する伝達部材の駆動ピン４２と係合している。駆動ピン４２の揺動に伴って、羽根２０ｄ１、２０ｄ２はそれぞれ固定軸５３ａ、５３ｂを中心に、羽根２０ｄ３および小絞り羽根２０ｄ４は固定軸５３ｃを中心に回転し、シャッタ開口１１を全開位置、全閉位置、小絞り位置を順次形成するように揺動する。また、図１３に示すように、基板１０ｄには羽根２０ｄ１、２０ｄ２、２０ｄ３および小絞り羽根２０ｄ４がシャッタ開口１１を全開位置、小絞り位置に位置付けられている場合に、各羽根の端部と当接する規制ピン５５ａ、５５ｂ、５５ｃが設けられており、これにより、全閉位置を中心に全開位置側及び小絞り位置側の各羽根の揺動が規制されている。
【００５８】
ここで、羽根駆動装置１ｄにおける羽根２０ｄ１、２０ｄ２はそれぞれ異なる固定軸５３ａ、５３ｂを中心に揺動可能に支持され、全閉位置に近づくにつれてシャッタ開口１１に対して同一方向から協働してシャッタ開口１１を覆うことによりシャッタ開口１１への入射光量を調整するように構成されている。すなわち羽根２０ｄ１は全閉位置にて羽根２０ｄ２を補助してシャッタ開口１１を覆う補助羽根の働きを有している。また羽根２０ｄ３および小絞り羽根２０ｄ４は同一の固定軸５３ｃを中心に揺動可能に支持されており、羽根２０ｄ３は小絞り位置において羽根２０ｄ３の端部と当接する規制ピン５５ｂにより、反時計方向の揺動が規制されている。すなわち羽根２０ｄ３は小絞り位置にて羽根２０ｄ４を保持するための補助羽根の働きを有している。
【００５９】
ここで、実施例５に係る羽根駆動装置１ｄの羽根２０ｄ２のカム溝２９ｂは、第１の許容領域である許容領域Ｒ１と、第１の規制領域である規制領域Ｒ２とを構成しており、補助羽根２０ｄ１、２０ｄ３の第２のカム溝であるカム溝２９ａ、２９ｃは、第２の許容領域である許容領域Ｒ３と、第２の規制領域である規制領域Ｒ４とを構成している。許容領域Ｒ１およびR３は、駆動ピン４２がこの許容領域Ｒ１およびR３内にある場合には、羽根２０ｄ２および補助羽根２０ｄ１、２０ｄ３の揺動が許容される領域であり、規制領域Ｒ２、Ｒ４は、駆動ピン４２がこの規制領域Ｒ２内にある場合には、羽根２０ｄ２および補助羽根２０ｄ１、２０ｄ３の揺動が規制される領域である。
【００６０】
実施例５に係る羽根駆動装置１ｄの特徴部分について説明する。図１８は、羽根駆動装置１ｄが図１５に示す全開位置にある場合において、駆動ピン４２以外の要因によって羽根２０ｄ１、２０ｄ２へ反時計方向へと揺動するよう外力が作用し羽根２０ｄ１、２０ｄ２の揺動が規制された状態でのカム溝部周辺の拡大図である。図１９は、羽根駆動装置１ｄが図１７に示す小絞り位置にある場合において、駆動ピン４２以外の要因によって羽根２０ｄ３へ時計方向へと揺動するよう外力が作用し羽根２０ｄ３の揺動が規制された状態でのカム溝部周辺の拡大図である。
【００６１】
ここで、駆動ピン４２以外の要因によって羽根２０ｄ１、２０ｄ２へ反時計方向へと揺動するよう外力が作用した場合、図１８に示すように、羽根２０ｄ１のカム溝２９ａの規制領域Ｒ４における縁部２９ａ１が駆動ピン４２に対して押圧力Ｆが作用する。また羽根２０ｄ２のカム溝２９ｂの規制領域Ｒ２における縁部２９ｂ１も同様に駆動ピン４２に対して押圧力Ｆ１が作用する。ここで押圧力Ｆ及びＦ１と駆動ピン４２の揺動方向Ｄとが略直行するので駆動ピン４２は規制領域Ｒ２を脱することができずに規制領域Ｒ２内に維持される。従って、羽根２０ｄ１、２０ｄ２に対して反時計方向へ揺動するような外力が作用した場合であっても、その揺動は規制されることになる。また羽根２０ｄ３および小絞り羽根２０ｄ４の揺動も規制される。よって複数の羽根を有する場合でもこれら複数の羽根のずれを確実に防止でき、撮像画像への悪影響を防止できる。
【００６２】
上述したように羽根駆動装置１ｄの全開位置において、羽根２０ｄ２のカム溝２９ｂおよび補助羽根２０ｄ１のカム溝２９ａは共に駆動ピン４２が、第１の規制領域である規制領域Ｒ２および第２の規制領域であるＲ４内に維持されるように構成され、羽根２０ｄ２および補助羽根２０ｄ１の揺動は規制されている。換言すれば、補助羽根２０ｄ１の第２のカム溝２９ａは、駆動ピン４２が羽根２０ｄ２の第１のカム溝２９ｂの第１の規制領域Ｒ２内にある場合に、駆動ピン４２と第２の規制領域Ｒ４内で係合するように構成されている。この構成により、例えば比較的大きなシャッタ開口を覆うために羽根２０ｄ２と補助羽根２０ｄ１を用いた場合に、羽根２０ｄ２と補助羽根２０ｄ１の揺動を同時に規制するカム溝をそれぞれに設けることにより、確実に多数の羽根の揺動を規制することができる。
【００６３】
次に羽根駆動装置１ｄが小絞り位置にある場合において、図１７、図１９を用いて説明する。上述したように補助羽根２０ｄ３および小絞り羽根２０ｄ４は同一の固定軸５３ｃを中心に揺動可能に支持されており、補助羽根２０ｄ３は小絞り位置において羽根２０ｄ３の端部と当接する規制ピン５５ｂにより、反時計方向の揺動が規制されている。また小絞り羽根２０ｄ４は規制ピン５５ｃにより、時計方向の揺動が規制されている。ここで、駆動ピン４２以外の要因によって補助羽根２０ｄ３へ時計方向へと揺動するよう外力が作用した場合、図１９に示すように、補助羽根２０ｄ３のカム溝２９ｃの規制領域Ｒ４における縁部２９ｃ１が駆動ピン４２に対して押圧力Ｆが作用する。ここで押圧力Ｆと駆動ピン４２の揺動方向Ｄとが略直行するので駆動ピン４２は規制領域Ｒ４を脱することができずに規制領域Ｒ４内に維持される。従って、補助羽根２０ｄ３に対して時計方向へ揺動するような外力が作用した場合であっても、その揺動は規制されることになる。また羽根２０ｄ１、２０ｄ２および小絞り羽根２０ｄ４の揺動も規制される。よって複数の羽根を有する場合でもこれら複数の羽根のずれを確実に防止でき、撮像画像への悪影響を防止できる。
【００６４】
また上述したように、シャッタ開口１１を、全開位置、全閉位置、小絞り位置のいずれかの状態に保持可能な複数の羽根を有する羽根駆動装置１ｄの小絞り開口２１ｄがシャッタ開口１１に進入した小絞り位置において、駆動ピン４２が補助羽根２０ｄ３の第２のカム溝２９ｃの第２の規制領域Ｒ４内で係合する。このとき補助羽根２０ｄ３に外力が加わった場合には、基板に対する補助羽根２０ｄ３の移動が抑制され、また羽根２０ｄ１、２０ｄ２および小絞り羽根２０ｄ４の揺動も規制される。これにより、複数の羽根のずれを確実に防止できると同時に、小絞り羽根２０ｄ４のカム溝２９ｄに規制領域を設けられない場合でも小絞り羽根２０ｄ４のずれを確実に防止でき、撮像画像への悪影響を防止できる。
【００６５】
以上本発明の好ましい一実施形態について詳述したが、本発明は係る特定の実施形態に限定されるものではなく、特許請求の範囲に記載された本発明の要旨の範囲内において、種々の変形・変更が可能である。
【００６６】
上記実施例１において、シャッタ開口１１に対して羽根２０が臨む位置に位置付けられた際に、羽根２０の揺動が規制されるように構成されているが、このような構成に限定されず、例えば、シャッタ開口１１から羽根２０が退避した位置に位置付けられた際に、羽根２０の揺動が規制されるように構成してもよい。また、本実施例のように、羽根が一枚のものに限定されず、複数枚の羽根を備えた羽根駆動装置に適用してもよい。この場合、全数枚の羽根に適用してもよく、また一部の羽根のみに適用してもよい。
【００６７】
上記実施例１、２、３において、基板に形成されたシャッタ開口１１を全閉状態にする羽根に本発明を採用してもよい。また上記実施例２において、ＮＤフィルタが取り付けられた羽根２０ａに本発明を採用してもよい。
【００６８】
上記実施例３において、羽根２０ｂの退避位置と臨む位置において、すなわちシャッタ開口１１を全開位置、全閉位置の２つの状態において、羽根２０に第１の規制領域Ｒ２を、補助羽根２０ｃに第２の規制領域Ｒ４を構成する例を挙げたが、シャッタ開口１１を全開、全閉、小絞りのいずれかの状態に保持可能な羽根駆動装置において、その両端の２つの状態において適用してもよい。
【００６９】
上記実施例４において、羽根２０ｃ１、２０ｃ２およびシャッタ開口１１より小径の小絞り開口２１ｃを有する小絞り羽根２０ｃ３を用いてシャッタ開口１１を全開、全閉、小絞りのいずれかの状態に保持可能な羽根駆動装置の例を挙げたが、シャッタ開口１１より小径の２種類の小絞り開口を有する第１小絞り羽根と第２小絞り羽根を用いてシャッタ開口１１を第１小絞り、全閉位置、第２小絞りのいずれかの状態に保持可能な複数の羽根を用いた羽根駆動装置に適用してもよい。
【図面の簡単な説明】
【００７０】
【図１】実施例１に係る羽根駆動装置の羽根が退避位置にある場合での正面図である。
【図２】実施例１に係る羽根駆動装置の羽根が臨む位置にある場合での正面図である。
【図３】実施例１に係る羽根駆動装置の断面図である。
【図４】実施例１に係る羽根駆動装置の羽根の溝部周辺の位置関係を示した図である。
【図５】実施例２に係る羽根駆動装置の羽根が退避位置にある場合での正面図である。
【図６】実施例２に係る羽根駆動装置の羽根が臨む位置にある場合での正面図である。
【図７】実施例２に係る羽根駆動装置の羽根の溝部周辺の位置関係を示した図である。
【図８】実施例３に係る羽根駆動装置の羽根が退避位置にある場合での正面図及び溝部周辺の拡大図である。
【図９】実施例３に係る羽根駆動装置の羽根が臨む位置にある場合での正面図及び溝部周辺の拡大図である。
【図１０】実施例４に係る羽根駆動装置の羽根が全開位置にある場合での正面図である。
【図１１】実施例４に係る羽根駆動装置の羽根が全閉位置にある場合での正面図である。
【図１２】実施例４に係る羽根駆動装置の羽根が小絞り位置にある場合での正面図である。
【図１３】実施例４に係る羽根駆動装置の羽根が全開位置にある場合において、羽根の揺動が規制されている状態を示す正面図及び溝部周辺の拡大図である。
【図１４】実施例４に係る羽根駆動装置の羽根が小絞り位置にある場合において、羽根の揺動が規制されている状態での溝部周辺の拡大図である。
【図１５】実施例５に係る羽根駆動装置の羽根が全開位置にある場合での正面図である。
【図１６】実施例５に係る羽根駆動装置の羽根が全閉位置にある場合での正面図である。
【図１７】実施例５に係る羽根駆動装置の羽根が小絞り位置にある場合での正面図である。
【図１８】実施例５に係る羽根駆動装置の羽根が全開位置にある場合において、羽根の揺動が規制されている状態での溝部周辺の拡大図である。
【図１９】実施例５に係る羽根駆動装置の羽根が小絞り位置にある場合において、羽根の揺動が規制されている状態での溝部周辺の拡大図である。
【符号の説明】
【００７１】
１０  基板
１１  シャッタ開口
２０  羽根
２０ｃ、２０ｄ１、２０ｄ３  補助羽根
２０ｃ３、２０ｄ４  小絞り羽根
２１  開口
２２  ＮＤフィルタ
２４  カム溝
２４ａ  一端部
２４ｂ  他端部
２４ｃ  縁部
４０  伝達部材
４１  アーム
４２  駆動ピン
５０  羽根押え板
Ｒ１  許容領域
Ｒ２  規制領域
【図１】
0005224885.tif 000002
【図２】
0005224885.tif 000003
【図３】
0005224885.tif 000004
【図４】
0005224885.tif 000005
【図５】
0005224885.tif 000006
【図６】
0005224885.tif 000007
【図７】
0005224885.tif 000008
【図８】
0005224885.tif 000009
【図９】
0005224885.tif 000010
【図１０】
0005224885.tif 000011
【図１１】
0005224885.tif 000012
【図１２】
0005224885.tif 000013
【図１３】
0005224885.tif 000014
【図１４】
0005224885.tif 000015
【図１５】
0005224885.tif 000016
【図１６】
0005224885.tif 000017
【図１７】
0005224885.tif 000018
【図１８】
0005224885.tif 000019
【図１９】
0005224885.tif 000020